(57)【要約】【課題】グリッドパターンを残したオフセット画像を作成することができる放射線装置を提供することを目的とする。【解決手段】フラットパネル型Ｘ線検出器（ＦＰＤ）に強い直接Ｘ線が入射すると、Ｘ線画像を取得した後に引き続いて取得されたオフセット画像にはグリッドによるグリッドパターンとともに粒状性のノイズや縦スジノイズなどのランダムノイズが現れる。そこで、グリッドパターンに対応する周波数近傍のバンドパスフィルタおよびグリッドパターンに対応する周波数近傍より低い周波数帯を通過するローパスフィルタをオフセットデータについて適用する。これにより、粒状性のノイズや縦スジノイズなどのノイズを除去し、かつグリッドパターンを残したオフセット画像（グリッドデータ）を作成することができる。【選択図】図７
2014204880.tif 000002
【特許請求の範囲】
【請求項１】
放射線画像を取得するために透視あるいは撮影を行う放射線装置であって、
放射線を検出する平面型放射線検出器と、
当該平面型放射線検出器の検出面側に配設され、散乱放射線を除去するグリッドと、
漏れ電流によるオフセット画像を作成するオフセット画像作成手段と
を備え、
前記オフセット画像について、前記グリッドによるグリッドパターンに相当する空間周波数成分を残した状態でローパスフィルタを適用することを特徴とする放射線装置。
【請求項２】
請求項１に記載の放射線装置において、
前記ローパスフィルタを適用した前記オフセット画像を用いて前記放射線画像をオフセット補正するオフセット補正手段を備えることを特徴とする放射線装置。
【発明の詳細な説明】
【技術分野】
【０００１】
この発明は、透視あるいは撮影を行う放射線装置に係り、特に、放射線を検出する平面型放射線検出器を備えた技術に関する。
【背景技術】
【０００２】
放射線としてＸ線を例に採って説明する。従来のＸ線装置では、被検体からの散乱Ｘ線を除去するグリッドを平面型Ｘ線検出器（フラットパネル型Ｘ線検出器）の検出面側に配設して備えている。グリッドは、Ｘ線を吸収する吸収箔と、Ｘ線を透過する中間層とを射線に沿って交互に並べて構成されている。直接Ｘ線は射線に沿って放射されるので、直接Ｘ線の殆どが中間層を透過して平面型Ｘ線検出器に入射される。一方、射線とは異なる方向から散乱Ｘ線は散乱されるので、吸収箔が散乱Ｘ線を吸収することにより除去することができる。
【０００３】
しかし、直接Ｘ線の一部は吸収箔に遮られて、吸収箔の箔影によるグリッドパターン（「グリッド縞」または「リス目」とも呼ばれている）がＸ線画像に現れる。特に、近年では上述した平面型Ｘ線検出器が用いられディジタル的に信号が処理されるので、グリッドパターンが顕著に現れる。そこで、グリッドパターンに相当する空間周波数フィルタをＸ線画像について適用することでグリッドパターンを除去している。
【０００４】
なお、Ｘ線を照射しなくても平面型Ｘ線検出器に漏れ電流（リーク電荷）が生じる。したがって、Ｘ線画像に漏れ電流によるオフセットが重畳する。そこで、図５のタイミングチャートに示すように、Ｘ線を照射して直後に取得されたＸ線画像（原画像）から、その後に空読み出しを行って取得されたオフセット画像（オフセットデータ）を減算する。よって、上述の減算を行うことでオフセットを除去するオフセット補正を行うことができる。
【０００５】
本来、オフセット画像はＸ線を照射しない状態で読み出されるので、Ｘ線管と平面型Ｘ線検出器との間に存在する物（代表的にはグリッド）の影の影響は現れないはずであるが、平面型Ｘ線検出器に強い直接Ｘ線が入射すると、Ｘ線画像を読み出した後でもオフセット画像にグリッドパターンが現れることがある。その場合でも、読み出されたＸ線画像（原画像）に重畳したオフセットにも、その直後に空読み出しにより取得されたオフセット画像（オフセットデータ）にも、グリッドパターンが重畳することから、Ｘ線画像からオフセット画像を減算するオフセット補正を行えば、オフセットの影響が正しく相殺される。その後、オフセットが除去されたＸ線画像から、公知の方法でグリッドパターンを除去する。
【０００６】
しかし、オフセットデータは微小信号であるので、Ｓ／Ｎ比が悪い。したがって、粒状性のノイズや、グリッドの吸収箔が延びている方向を縦方向としたグリッドパターンに平行なランダムな縦スジノイズもオフセット画像に重畳される。これらのノイズを除去するために、オフセット画像に、空間的なローパスフィルタ（低域通過型フィルタ）を適用するのが好ましい。その際に、移動平均フィルタなどの平滑化フィルタを併せて適用してもよい。
【０００７】
ところで、ゲイン補正を行うために用いられる画像であって、被検体を載置せずに撮影して得られたＸ線画像を「白画像」と呼んでいる。この白画像について空間周波数フィルタを適用して、撮影されたＸ線画像（原画像）から空間周波数フィルタを適用した白画像を減算することで、グリッドパターンを除去する技術がある（例えば、特許文献１参照）。この特許文献１では、Ｘ線を照射しないとき（非照射時）に流れる漏れ電流（特許文献１では「暗電流」で表記）をも原画像から減算してから、空間周波数フィルタを適用した白画像を減算することが開示されている（段落番号「００６９」や「０１２２」や「０１３８」や図１を参照）。
【先行技術文献】
【特許文献】
【０００８】
【特許文献１】特開２００５−２０４８１０号公報
【発明の概要】
【発明が解決しようとする課題】
【０００９】
しかしながら、オフセットデータに重畳したグリッドパターンが当該ローパスフィルタにより抑制されてしまうと、Ｘ線画像から減算する場合に、上述した相殺の作用を発揮することができなくなり、オフセット補正後のＸ線画像に意図しないグリッドパターンが現れるという問題がある。
【００１０】
すなわち、グリッドパターンの成分も高周波成分であるので、オフセット画像（オフセットデータ）についてローパスフィルタを適用すると、オフセットデータのグリッドパターンまで除去される、あるいはグリッドパターンの周波数成分が崩れてしまう。よって、オフセット補正後のＸ線画像においてグリッドパターンを正確に除去することができない、あるいは意図しないグリッドパターンが現れてしまう。
【００１１】
この発明は、このような事情に鑑みてなされたものであって、グリッドパターンを残したオフセット画像を作成することができる放射線装置を提供することを目的とする。
【課題を解決するための手段】
【００１２】
この発明は、このような目的を達成するために、次のような構成をとる。
すなわち、この発明に係る放射線装置は、放射線画像を取得するために透視あるいは撮影を行う放射線装置であって、放射線を検出する平面型放射線検出器と、当該平面型放射線検出器の検出面側に配設され、散乱放射線を除去するグリッドと、漏れ電流によるオフセット画像を作成するオフセット画像作成手段とを備え、前記オフセット画像について、前記グリッドによるグリッドパターンに相当する空間周波数成分を残した状態でローパスフィルタを適用することを特徴とするものである。
【００１３】
［作用・効果］この発明に係る放射線装置によれば、平面型放射線検出器に強い直接放射線が入射すると、放射線画像を取得した後に引き続いて取得されたオフセット画像にはグリッドによるグリッドパターンとともに粒状性のノイズや縦スジノイズなどのランダムノイズが現れる。そこで、オフセット画像について、グリッドパターンに相当する空間周波数成分を残した状態でローパスフィルタを適用する。グリッドパターンは等間隔であるので、グリッドパターンに相当する空間周波数を予測することができ、グリッドパターンに相当する空間周波数成分を残した状態でローパスフィルタを適用することで、ローパスフィルタを適用したオフセット画像にグリッドパターンが残る。一方、グリッドパターンに平行な縦スジノイズの成分は不等間隔であり、グリッドパターンに相当する空間周波数と縦スジノイズの成分に相当する（ランダムな）空間周波数とは異なる。また、粒状性のノイズに相当する空間周波数も、グリッドパターンに相当する空間周波数とは異なる。オフセットデータは直流成分であるので、ローパスフィルタを適用しても、ローパスフィルタを適用したオフセット画像にグリッドパターンとともにオフセットデータは残る。したがって、グリッドパターンに相当する空間周波数成分を残した状態でローパスフィルタを適用することで、グリッドパターンを残したオフセット画像を作成することができる。
【００１４】
上述したこの発明に係る放射線装置において、上述したローパスフィルタを適用したオフセット画像を用いて放射線画像をオフセット補正するオフセット補正手段を備える。グリッドパターンを残したオフセット画像を用いて放射線画像をオフセット補正するので、グリッドパターンが現れず、かつノイズが除去された放射線画像が最終的に得られる。
【発明の効果】
【００１５】
この発明に係る放射線装置によれば、オフセット画像について、グリッドパターンに相当する空間周波数成分を残した状態でローパスフィルタを適用することで、粒状性のノイズや縦スジノイズなどのノイズを除去し、かつグリッドパターンを残したオフセット画像を作成することができる。
【図面の簡単な説明】
【００１６】
【図１】実施例に係るＸ線透視撮影装置のブロック図である。
【図２】フラットパネル型Ｘ線検出器（ＦＰＤ）の検出面の模式図である。
【図３】グリッドの概略斜視図である。
【図４】具体的な画像処理部の構成およびデータの流れを示したブロック図である。
【図５】一連のＸ線の照射，Ｘ線画像の取得およびオフセット画像の取得に関するタイミングチャートである。
【図６】オフセット画像に関するプロファイルの模式図である。
【図７】（ａ）は実施例に係る空間周波数と各フィルタとの関係を表した模式図、（ｂ）は変形例に係る空間周波数とローパスフィルタとの関係を表した模式図である。
【図８】変形例に係る透視に適用したときの一連のＸ線の照射，Ｘ線画像の取得およびオフセット画像の取得に関するタイミングチャートである。
【実施例】
【００１７】
以下、図面を参照してこの発明の実施例を説明する。
図１は、実施例に係るＸ線透視撮影装置のブロック図であり、図２は、フラットパネル型Ｘ線検出器（ＦＰＤ）の検出面の模式図であり、図３は、グリッドの概略斜視図である。本実施例では、放射線としてＸ線を例に採って説明するとともに、放射線装置としてＸ線透視撮影装置を例に採って説明する。また、後述する図５のタイミングチャートのように撮影を行う場合を例に採って説明する。
【００１８】
本実施例に係るＸ線透視撮影装置は、図１に示すように、被検体Ｍを載置した天板１と、被検体Ｍに向けてＸ線を照射するＸ線管２と、Ｘ線管２から照射されて被検体Ｍを透過したＸ線を検出するフラットパネル型Ｘ線検出器（以下、「ＦＰＤ」と略記する）３と、ＦＰＤ３によって検出されたＸ線に基づいて画像処理を行う画像処理部４と、画像処理部４によって各種の画像処理されたＸ線画像を表示する表示部５とを備えている。表示部５はモニタやテレビジョンなどの表示手段で構成されている。また、ＦＰＤ３の検出面側にはグリッド６を配設している。フラットパネル型Ｘ線検出器（ＦＰＤ）３は、この発明における平面型放射線検出器に相当し、グリッド６は、この発明におけるグリッドに相当する。
【００１９】
画像処理部４は、中央演算処理装置（ＣＰＵ）などで構成されている。なお、各種の画像処理を行うためのプログラム等をＲＯＭ（Read-only Memory）などに代表される記憶媒体に書き込んで記憶し、その記憶媒体からプログラム等を読み出して画像処理部４のＣＰＵが実行することでそのプログラムに応じた画像処理を行う。特に、画像処理部４の後述するオフセット画像作成部４１やフィルタ処理部４２やオフセット補正部４３は、オフセット画像の作成やフィルタ処理やＸ線画像のオフセット補正に関するプログラムを実行することで、そのプログラムに応じたオフセット画像の作成やフィルタ処理やＸ線画像のオフセット補正をそれぞれ行う。
【００２０】
画像処理部４は、漏れ電流によるオフセット画像を作成するオフセット画像作成部４１と、当該オフセット画像についてフィルタ処理を適用するフィルタ処理部４２と、フィルタ処理を適用したオフセット画像（グリッドデータ）を用いてＸ線画像をオフセット補正するオフセット補正部４３とを備えている。オフセット画像作成部４１は、この発明におけるオフセット画像作成手段に相当し、オフセット補正部４３は、この発明におけるオフセット補正手段に相当する。
【００２１】
ＦＰＤ３は、図２に示すように、その検出面にはＸ線に有感な複数の検出素子ｄを２次元マトリックス状に配列して構成されている。検出素子ｄは、被検体Ｍを透過したＸ線を電気信号に変換して一旦蓄積して、その蓄積された電気信号を読み出すことで、Ｘ線を検出する。各々の検出素子ｄでそれぞれ検出された電気信号を、電気信号に応じた画素値に変換して、検出素子ｄの位置にそれぞれ対応した画素にその画素値を割り当てることでＸ線画像を出力して、画像処理部４のオフセット画像作成部４１やフィルタ処理部４２やオフセット補正部４３（図１、図４を参照）にＸ線画像を送り込む。このように、ＦＰＤ３は、Ｘ線を検出する複数の検出素子ｄが行列状（２次元マトリックス状）に構成されている。
【００２２】
グリッド６は、図３に示すように、Ｘ線を吸収する吸収箔６ａと、Ｘ線を透過する中間層６ｂとを射線に沿って交互に並べて構成されている。吸収箔６ａ，中間層６ｂを覆うグリッドカバー６ｃは、Ｘ線の入射面および逆側の面から吸収箔６ａ，中間層６ｂを挟み込む。吸収箔６ａの図示を明確にするために、グリッドカバー６ｃについては二点鎖線で図示し、その他のグリッド６の構成（吸収箔６ａを支持する機構等）については図示を省略する。
【００２３】
また、図３に示すように各々の吸収箔６ａをＦＰＤ３の検出面に対して平行に配置してグリッド６を配置している。なお、本実施例では中間層６ｂは空隙となっており、グリッド６はエアグリッドでもある。もちろん、中間層６ｂは空隙以外にも、アルミニウムや有機物質などであってもよく、空隙以外の方が吸収箔６ａを固定し易く設計上のズレが生じ難く、後述するグリッドパターンに相当する空間周波数を予測するのが容易となる。吸収箔６ａについては、鉛などのようにＸ線に代表される放射線を吸収する物質であれば、特に限定されない。また、本実施例では、Ｘ線管２（図１を参照）の焦点を結ぶ射線に沿って吸収箔６ａと中間層６ｂとを配置した集束グリッドであるが、図３では図示の便宜上、各々の吸収箔６ａおよび中間層６ｂを平行配置としている。
【００２４】
図３に示すように各々の画素サイズをΔＸとすると、各々の画素に同期して吸収箔６ａが配置されるのが好ましい。図３では１画素毎に同期して２つの吸収箔６ａが配置されている。したがって、Ｘ線を吸収箔６ａが吸収することによりＦＰＤ３に箔影が生じて、複数本（図３では２本）の箔影がグリッドパターンとして１画素毎にＸ線画像に映り込むが、各々の画素に同期して箔影が映り込むように吸収箔６ａが配置される。
【００２５】
次に、画像処理部および一連の画像処理のフローについて、図４〜図６、図７（ａ）を参照して説明する。図４は、具体的な画像処理部の構成およびデータの流れを示したブロック図であり、図５は、一連のＸ線の照射，Ｘ線画像の取得およびオフセット画像の取得に関するタイミングチャートであり、図６は、オフセット画像に関するプロファイルの模式図であり、図７（ａ）は、実施例に係る空間周波数と各フィルタとの関係を表した模式図である。
【００２６】
図４に示すように、漏れ電流によるオフセット画像（図４中では「Ｏ」で表記）をオフセット画像作成部４１は作成する。具体的には、図５のタイミングチャートに示すように、Ｘ線を照射して直後にＦＰＤ３から検出されて取得された画像をＸ線画像（原画像）とする。そして、Ｘ線画像（図４中では「Ｉ」で表記）をオフセット補正部４３に送り込む。Ｘ線画像の取得後にＦＰＤ３から検出されて（すなわち空読み出しされて）取得されたデータをオフセット画像（オフセットデータ）としてオフセット画像作成部４１に送り込む。Ｘ線画像と同様に当該データの画素値をＦＰＤ３の検出素子ｄ（図２を参照）の位置にそれぞれ対応した画素に割り当てることで、オフセット画像作成部４１はオフセット画像Ｏを作成する。
【００２７】
このようにして、オフセット画像作成部４１は、図４に示すようにオフセット画像Ｏを作成する。オフセット画像作成部４１で作成されたオフセット画像Ｏを、フィルタ処理部４２に送り込む。
【００２８】
フィルタ処理部４２は、オフセット画像作成部４１で作成されたオフセット画像Ｏについてフィルタ処理を適用する。具体的には、オフセット画像Ｏについて、グリッドパターンに相当する空間周波数成分を残した状態でローパスフィルタを適用する。
【００２９】
図６では、横軸のＸを画像の水平方向とし、縦軸を画素値としたプロファイルで表している。グリッドデータをＧとし、ランダムな縦スジノイズの成分をＯＲとし、漏れ電流からなる成分（オフセット成分）をＯＣとし、グリッドパターンの成分をＯＧとする。図６（ａ）は、漏れ電流からなる成分ＯＣおよび縦スジノイズの成分ＯＲが含まれた本来のオフセットデータＯのプロファイルである（粒状性のノイズのプロファイルについては図示省略）。従来は、このオフセットデータＯについてローパスフィルタおよび移動平均フィルタを適用することで、粒状性のノイズの成分や縦スジノイズの成分ＯＲの高周波成分を除去している。
【００３０】
図６（ｂ）は、グリッドパターンの成分ＯＧが含まれたグリッドデータＧのプロファイルを示している。グリッドパターンは等間隔であるので、Ｘ線画像に現れるグリッドパターンに相当する空間周波数を予測することが可能である。ここでの空間周波数は折り返し周波数やｎ倍の空間周波数である高調波の周波数も包含されることに留意されたい。
【００３１】
図６（ｃ）は、本来のオフセットデータＯに、強い直接Ｘ線が入射したことによって発生するグリッドパターンの成分ＯＧを含んだプロファイルである。「発明が解決しようとする課題」の欄でも述べたように、このオフセットデータＯについて従来のようにローパスフィルタおよび移動平均フィルタを適用すると、高周波成分であるグリッドパターンの成分ＯＧまで除去される、あるいはグリッドパターンの成分ＯＧが崩れてしまう。
【００３２】
そこで、従来のローパスフィルタおよび移動平均フィルタではなく、Ｘ線画像に現れるグリッドパターンに相当する空間周波数を予め予測して、オフセットデータＯについて、グリッドパターンに相当する空間周波数成分を残した状態でローパスフィルタを適用する。本実施例では、図７（ａ）に示すように、グリッドパターンに対応する周波数近傍のバンドパスフィルタ（帯域通過型フィルタ）（図７（ａ）では「ＢＰＦ」で表記）およびグリッドパターンに対応する周波数近傍より低い周波数帯を通過するローパスフィルタ（図７（ａ）では「ＬＰＦ」で表記）を適用する。これにより、グリッドパターンよりも高い空間周波数および低い空間周波数にも除去したいノイズ成分がある場合には、これらのノイズ成分を除去することができる。その際、オフセットデータは直流成分であるので、ローパスフィルタを適用しても、ローパスフィルタを適用したオフセット画像（グリッドデータＧ）にオフセットデータは残る。
【００３３】
したがって、図７（ａ）に示す各フィルタを適用したオフセット画像Ｏを、図６（ｄ）に示すようにグリッドデータＧとすると、粒状性のノイズの成分や縦スジノイズの成分ＯＲに代表されるランダムノイズの成分を除去したオフセット画像Ｏ（グリッドデータＧ）を作成することが可能となる。
【００３４】
このとき、図７（ａ）に示すグリッドパターンに対応する周波数近傍のバンドパスフィルタにより、図６（ｄ）に示すようにグリッドパターンの成分ＯＧは除去されない。また、上述したように漏れ電流からなる成分（オフセット成分）ＯＣは周期的な成分でなく直流成分であるので、図７（ａ）に示すグリッドパターンに対応する周波数近傍より低い周波数帯を通過するローパスフィルタにより、漏れ電流からなる成分（オフセット成分）ＯＣは除去されることなく残る。
【００３５】
このようにして、フィルタ処理部４２は、図４に示すようにオフセット画像Ｏについてフィルタ処理を適用して、フィルタ処理を適用したオフセット画像Ｏ（グリッドデータＧ）を作成する。フィルタ処理部４２で作成されたグリッドデータＧを、オフセット補正部４３に送り込む。
【００３６】
オフセット補正部４３は、フィルタ処理を適用したオフセット画像Ｏ（グリッドデータＧ）を用いてＸ線画像Ｉをオフセット補正する。オフセット補正後のＸ線画像をＩafterとすると、具体的には、各々の画素毎にＸ線画像Ｉの画素値からグリッドデータＧの画素値を減算することにより、オフセット補正後のＸ線画像Ｉafterを作成する。なお、Ｘ線画像ＩやグリッドデータＧに重み付け係数を乗じたり、Ｘ線画像ＩやグリッドデータＧの対数変換を行った後に減算処理を行って、オフセット補正後のＸ線画像Ｉafterを作成してもよい。
【００３７】
このようにして、オフセット補正部４３は、Ｘ線画像Ｉをオフセット補正してＸ線画像Ｉafterを作成し、表示部５などに送り込む。また、Ｘ線画像Ｉafterを、上述した表示部５に表示出力してもよいし、ＲＡＭ（Random-Access Memory）などに代表される記憶媒体に書き込んで記憶して、適宜必要に応じて読み出してもよいし、プリンタなどに代表される印刷手段に印刷出力してもよい。
【００３８】
本実施例に係るＸ線透視撮影装置によれば、フラットパネル型Ｘ線検出器（ＦＰＤ）３に強い直接Ｘ線が入射すると、Ｘ線画像を取得した後に引き続いて取得されたオフセット画像にはグリッド６によるグリッドパターンとともに粒状性のノイズや縦スジノイズなどのランダムノイズが現れる。そこで、オフセット画像について、グリッドパターンに相当する空間周波数成分を残した状態でローパスフィルタを適用する。グリッドパターンは等間隔であるので、グリッドパターンに相当する空間周波数を予測することができ、グリッドパターンに相当する空間周波数成分を残した状態でローパスフィルタを適用することで、ローパスフィルタを適用したオフセット画像にグリッドパターンの成分が残る。一方、グリッドパターンに平行な縦スジノイズの成分は不等間隔であり、グリッドパターンに相当する空間周波数と縦スジノイズの成分に相当する（ランダムな）空間周波数とは異なる。また、粒状性のノイズに相当する空間周波数も、グリッドパターンに相当する空間周波数とは異なる。オフセットデータは直流成分であるので、ローパスフィルタを適用しても、ローパスフィルタを適用したオフセット画像にグリッドパターンとともにオフセットデータは残る。したがって、グリッドパターンに相当する空間周波数成分を残した状態でローパスフィルタを適用することで、グリッドパターンを残したオフセット画像を作成することができる。
【００３９】
本実施例において、ローパスフィルタを適用したオフセット画像（図４のグリッドデータＧ）を用いてＸ線画像をオフセット補正するオフセット補正部４３を備えている。グリッドパターンを残したオフセット画像を用いてＸ線画像をオフセット補正するので、グリッドパターンが現れず、かつノイズが除去されたＸ線画像が最終的に得られる。
【００４０】
上述した特許文献１の特開２００５−２０４８１０号公報では、Ｘ線を照射しないとき（非照射時）に流れる漏れ電流（暗電流）をも原画像から減算してから、空間周波数フィルタを適用した白画像を減算することが開示されている。しかし、本実施例のように、オフセットについて、グリッドによるグリッドパターンに相当する空間周波数成分を残した状態でローパスフィルタを適用する構成と、特許文献１の特開２００５−２０４８１０号公報の構成とは相違することに留意されたい。
【００４１】
この発明は、上記実施形態に限られることはなく、下記のように変形実施することができる。
【００４２】
（１）上述した実施例では、放射線としてＸ線を例に採って説明したが、Ｘ線以外の放射線（例えばγ線など）に適用してもよい。
【００４３】
（２）上述した実施例では、集束グリッドであったが、平行配置されたグリッドにも適用することができる。
【００４４】
（３）上述した実施例では、撮影を行う場合に適用したが、図８のタイミングチャートに示すように透視を行う場合に適用してもよい。一定のフレームレートで撮影よりも線量が弱いＸ線を連続的に照射して、Ｘ線照射毎にＸ線画像（原画像）を逐次に取得して、表示部５（図４を参照）に表示出力して、当該フレームレートで透視を行う。この表示部５に出力表示されたＸ線画像（原画像）はランダムノイズの成分やリーク電荷からなる成分やグリッドパターンの成分などが含まれる。その後で出力されたオフセット画像を用いてＸ線画像をオフセット補正してもよい。したがって、リアルタイムでの透視ではグリッドパターンが現れるが、その後でオフセット補正することで、グリッドパターンが現れず、かつノイズが除去されたＸ線画像をタイムラグで透視することができる。
【００４５】
（４）上述した実施例では、放射線装置（実施例ではＸ線透視撮影装置）はオフセット補正手段（実施例ではオフセット補正部４３）を備えたが、オフセット補正手段（オフセット補正部４３）を必ずしも備える必要はない。オフセット補正手段（オフセット補正部４３）を外部装置が備えて、放射線装置（Ｘ線透視撮影装置）において、フィルタ処理部４２で処理されたオフセット画像（グリッドデータ）を外部装置に転送してもよい。
【００４６】
（５）上述した実施例では、図７（ａ）に示すようなグリッドパターンに対応する周波数近傍のバンドパスフィルタおよびグリッドパターンに対応する周波数近傍より低い周波数帯を通過するローパスフィルタを、オフセットデータについて適用したが、これに限定されない。例えば、図７（ｂ）に示すように、グリッドパターンに対応する周波数近傍より高い周波数帯を抑制するようなローパスフィルタを、オフセットデータについて適用してもよい。この場合には、グリッドパターンよりも高い空間周波数にのみに除去したいノイズ成分があるときに有用である。このように、オフセット画像について、グリッドパターンに相当する空間周波数成分を残した状態でローパスフィルタを適用する形態であれば、図７（ａ）に示すようにバンドパスフィルタを併せて適用してもよいし、図７（ｂ）に示すようにローパスフィルタのみを適用してもよい。
【符号の説明】
【００４７】
３  …  フラットパネル型Ｘ線検出器（ＦＰＤ）
６  …  グリッド
４１  …  オフセット画像作成部
４２  …  フィルタ処理部
４３  …  オフセット補正部
Ｉ  …  Ｘ線画像
Ｏ  …  オフセット画像
Ｇ  …  グリッドデータ
Ｉafter  …  （オフセット補正後の）Ｘ線画像
ＯＲ  …  （ランダムな）縦スジノイズの成分
ＯＣ  …  漏れ電流からなる成分（オフセット成分）
ＧＣ  …  グリッドパターンの成分
【図１】
2014204880.tif 000003
【図２】
2014204880.tif 000004
【図３】
2014204880.tif 000005
【図４】
2014204880.tif 000006
【図５】
2014204880.tif 000007
【図６】
2014204880.tif 000008
【図７】
2014204880.tif 000009
【図８】
2014204880.tif 000010